(57)【特許請求の範囲】
【請求項１】
通信機能付ガスメータ（１）の側面にＴ−ＮＣＵが取付けられる係合部を上方に位置して設けるとともに下方に未貫通の雌ねじを刻設した凸部を設けたことを特徴とする通信機能付ガスメータ。
【請求項２】
通信機能付きガスメータ（１）の上ケース（３）のフランジ部（２）の側面上面に第１の凸部（８、８）を設けるとともに、ケース本体（４）の側面に第２の凸部（９）を設け、第２の凸部（９）には未貫通の雌ねじ（１０）を刻設したことを特徴とする請求項１記載の通信機能付ガスメータ。
【請求項３】
通信機能付きガスメータ（１）のケース本体（４）の側面に上部がケース本体（４）の側面から離れて上方に延びる係合部（２１ａ）を有するとともに、下部をビス（２２）でケース本体（４）の側面に固着した取付金具（２１）と、該取付金具（２１）と離れた位置にケース本体（４）に突出形成した凸部（２３）とを設け、該凸部（２３）には未貫通の雌ねじ（２４）を刻設したことを特徴とする請求項１記載の通信機能付ガスメータ。
【請求項４】
通信機能付ガスメータ（１）の上ケース（３）のフランジ部（２）の側面上面に第１の凸部（８、８）を設けるとともに、ケース本体（４）の側面に第２の凸部（９）を設け、第２の凸部（９）には未貫通の雌ねじ（１０）を刻設し、
Ｔ−ＮＣＵ（１１）には、前記第１の凸部（８、８）に嵌合する取付孔（１２、１２）と、ビス（１４）を通す孔（１３）とを設け、
Ｔ−ＮＣＵ（１１）の取付孔（１２、１２）を第１の凸部（８、８）に嵌合させるとともに、ビス（１４）を前記孔（１３）に通して第２の凸部（９）の雌ねじ（１０）に螺合してＴ−ＮＣＵ（１１）を側面に固定したことを特徴とする通信機能付ガスメータ。
【請求項５】
通信機能付ガスメータ（１）のケース本体（４）の側面に上部がケース本体（４）の側面から離れて上方に延びる係合部（２１ａ）を有するとともに、下部をビス（２２）でケース本体（４）の側面に固着した取付金具（２１）と、該取付金具（２１）と離れた位置にケース本体（４）に突出形成した凸部（２３）とを設け、該凸部（２３）には未貫通の雌ねじ（２４）を刻設し、Ｔ−ＮＣＵ（１１）には、前記取付金具（２１）の係合部（２１ａ）に係合するフック（１５）と、ビス（１４）を通す孔（１３）を設け、
Ｔ−ＮＣＵ（１１）のフック（１５）を取付金具（２１）の係合部（２１ａ）に係合させるとともに、ビス（１４）を前記孔（１３）に通して凸部（２３）の雌ねじ（２４）に螺合してＴ−ＮＣＵ（１１）を側面に固定したことを特徴とする通信機能付ガスメータ。
【発明の詳細な説明】
【０００１】
【発明の属する技術分野】
本発明は通信機能付ガスメータの改良に関する。
【０００２】
【従来の技術】
ガス事業における集中監視システムでは、ガスメータで計量したガス使用量のデータだけでなく、ガスの使用状況およびガス漏れの有無等のセキュリティに関連したデータをも中央へ伝送する通信機能付ガスメータを用いている。このガスメータは、ガスの異常使用を判断して自動的にガスの供給を停止するマイコンを内蔵しているので、通信機能付マイコンメータと呼ばれることもあるが、以下、ここでは通信機能付ガスメータ又は単にガスメータと言う。
【０００３】
このような通信機能付ガスメータを用いた集中監視システムでは、ガスメータからのデータは端末網制御装置（以下Ｔ−ＮＣＵと略記する）と一般加入電話回線を通して中央の監視センタへ伝送されるが、ガスメータとＴ−ＮＣＵの組合せとしては、以下に述べる第１〜第３の従来技術が公知である。
【０００４】
【第１の従来技術】
Ｔ−ＮＣＵをガスメータから離れた位置、例えば建物の壁面に取付けて、両者の間を電線で接続する。
【０００５】
【第２の従来技術】
実開平６−７２０２７号公報記載のように、ガスメータとＴ−ＮＣＵとが一体的に構成されている。両者の間の現地配線工事が不要で、作業効率が良い。
【０００６】
【第３の従来技術】
実開平７−１８２１９号公報記載のように、ガスメータの立上り管又は出管に対して水平に固定するための固定手段を一方に形成し他方にＴ−ＮＣＵ固定手段を形成してなる平面Ｌ型の取付金具本体と、前記水平に固定するための固定手段をガスメータの立上り管又は出管に固定する金属固定バンドと、Ｔ−ＮＣＵの背面と前記Ｔ−ＮＣＵ固定手段に固定される取付金具とからなるＴ−ＮＣＵ取付金具を備えている。
【０００７】
そして、これらの取付金具本体、固定バンド及びＴ−ＮＣＵ取付金具を用いてＴ−ＮＣＵをガスメータの立上り管又は出管に固定するときに、３本のビスと２本の取付ネジ及び２個のナットを必要とする。
【０００８】
この第３の従来技術では、Ｔ−ＮＣＵを建物の外壁やパイプシャフトの壁に取付けないで済む。
【０００９】
【発明が解決しようとする課題】
前記第１の従来技術では、ガスメータを設置するパイプシャフト内が狭いスペースしかないため、Ｔ−ＮＣＵをパイプシャフトの壁面に取付られない場合があるという問題点がある。
【００１０】
また、ガスメータ設置場所の近くにＴ−ＮＣＵを取付けるに適当な壁面がなくて、ガスメータから相当離れた位置にしかＴ−ＮＣＵを取付られないことがあり、両者間を接続する配線が長くなり、工事に費用を要するという問題点がある。
【００１１】
更にまた、ガスメータとＴ−ＮＣＵを接続する配線が長くなって、電気的ノイズを受け易くなり、ノイズによる誤動作が発生するという問題点がある。
第２の従来技術では、Ｔ−ＮＣＵがガスメータと一体型で簡単に分離できないため、Ｔ−ＮＣＵが故障した場合に、ガスメータごと良品と交換しなければならないという問題点がある。
【００１２】
また、ガスメータ設置時には集中監視システムを設置しないで、ガスメータ設置後、しばらくの期間が経過してから集中監視システムを導入しようという将来計画を有するガス事業者であっても、ガスメータ設置当初からＴ−ＮＣＵと一体型のガスメータを取付ける必要があるため、先行投資としてのＴ−ＮＣＵの費用負担がかさむという問題点がある。
【００１３】
そして、第３の従来技術では、Ｔ−ＮＣＵを固定するために、少なくとも３種（３個）の金具と、３本のビス、２本のネジ及び２個のナットも必要とするため、コスト高になるばかりでなく、Ｔ−ＮＣＵを固定する作業が面倒で多くの工数を要するという問題点がある。
【００１４】
また、建物の壁から出た配管が直接ガスメータに取付けられている場合には、ガス管にＴ−ＮＣＵを取付けることが出来なくて、第３の従来技術では実施不能になるという問題点がある。
【００１５】
そこで、本発明はこれらの問題点を解消できる通信機能付ガスメータを提供することを目的とする。
【００１６】
【課題を解決するための手段】
前記目的を達成するために、請求項１の発明は、通信機能付ガスメータ（１）の側面にＴ−ＮＣＵが取付けられる係合部を上方に位置して設けるとともに下方に未貫通の雌ねじを刻設した凸部を設けたことを特徴とする通信機能付ガスメータである。
請求項２の発明は、請求項１の通信機能付ガスメータにおいて、通信機能付きガスメータ（１）の上ケース（３）のフランジ部（２）の側面上面に第１の凸部（８、８）を設けるとともに、ケース本体（４）の側面に第２の凸部（９）を設け、第２の凸部（９）には未貫通の雌ねじ（１０）を刻設したことを特徴とするものである。
請求項３の発明は、請求項１の通信機能付ガスメータにおいて、通信機能付きガスメータ（１）のケース本体（４）の側面に上部がケース本体（４）の側面から離れて上方に延びる係合部（２１ａ）を有するとともに、下部をビス（２２）でケース本体（４）の側面に固着した取付金具（２１）と、該取付金具（２１）と離れた位置にケース本体（４）に突出形成した凸部（２３）とを設け、該凸部（２３）には未貫通の雌ねじ（２４）を刻設したことを特徴とするものである。
【００１７】
この発明では、先ず通信機能付ガスメータを設置してガスの供給を行い、将来的に集中監視システムを構築しようという長期計画の場合に、Ｔ−ＮＣＵ（１１）をガスメータ設置時に初期投資しなくて良い。
【００１８】
請求項４の発明は、通信機能付ガスメータ（１）の上ケース（３）のフランジ部（２）の側部上面に第１の凸部（８、８）を設けるとともに、ケース本体（４）の側面に第２の凸部（９）を設け、第２の凸部（９）には未貫通の雌ねじ（１０）を刻設し、Ｔ−ＮＣＵ（１１）には、前記第１の凸部（８、８）に嵌合する取付孔（１２、１２）と、ビス（１４）を通す孔（１３）とを設け、Ｔ−ＮＣＵ（１１）の取付孔（１２、１２）を第１の凸部（８、８）に嵌合させるとともに、ビス（１４）を前記孔（１３）に通して第２の凸部（９）の雌ねじ（１０）に螺合してＴ−ＮＣＵ（１１）を側面に固定したことを特徴とする通信機能付ガスメータである。
【００１９】
この発明では、Ｔ−ＮＣＵ（１１）の取付孔（１２、１２）をガスメータの第１の凸部（８、８）に嵌合させ、ビス（１４）を前記孔（１３）に通して第２の凸部（９）の雌ねじ（１０）に螺合して、Ｔ−ＮＣＵ（１１）をガスメータ（１）の側面に固定できる。また、ビス（１４）を緩めることで、Ｔ−ＮＣＵ（１１）をガスメータ（１）から外すことができる。
【００２０】
請求項５の発明は、通信機能付ガスメータ（１）のケース本体（４）の側面に上部がケース本体（４）の側面から離れて上方に延びる係合部（２１ａ）を有するとともに、下部をビス（２２）でケース本体（４）の側面に固着した取付金具（２１）と、該取付金具（２１）と離れた位置にケース本体（４）に突出形成した凸部（２３）とを設け、該凸部（２３）には未貫通の雌ねじ（２４）を刻設し、Ｔ−ＮＣＵ（１１）には、前記取付金具（２１）の係合部（２１ａ）に係合するフック（１５）と、ビス（１４）を通す孔（１３）を設け、Ｔ−ＮＣＵ（１１）のフック（１５）を取付金具（２１）の係合部（２１ａ）に係合させるとともに、ビス（１４）を前記孔（１３）に通して凸部（２３）の雌ねじ（２４）に螺合してＴ−ＮＣＵ（１１）を側面に固定したことを特徴とする通信機能付ガスメータである。
【００２１】
この発明では、Ｔ−ＮＣＵ（１１）のフック（１５）をガスメータ（１）の取付金具（２１）の係合部（２１ａ）に係合させるとともに、ビス（１４）を前記孔（１３）に通して凸部（２３）の雌ねじ（２４）に螺合して、Ｔ−ＮＣＵ（１１）をガスメータ（１）の側面に固定できる。また、ビス（１４）を緩めることで、Ｔ−ＮＣＵ（１１）をガスメータ（１）から外すことができる。
【００２２】
【発明の実施の形態】
図１と図２は本発明の第１実施例で、請求項２、４の発明に対応する。
両図において、１は通信機能付ガスメータ（単にガスメータとも言う）で、フランジ部２を有する上ケース３と、本体ケース４等からなる。５はガス使用量を表示する表示窓、６はガスの流入口、７は流出口、８、８はフランジ２の右側部上面に突出形成した第１の凸部、９は本体ケース４の右側面に突出形成した第２の凸部で下穴が貫通してない雌ねじ（１０）が刻設してある。
【００２３】
１１はＴ−ＮＣＵで、前記第１の凸部８、８に嵌合する取付孔１２、１２と、ビス１４を通す孔１３を設けてある。
このＴ−ＮＣＵ１１をガスメータ１に取付けるには、図２に示すＴ−ＮＣＵ１１をガスメータ１の右側面に沿わせるよう移動し、第１の凸部８、８に取付孔１２、１２を嵌合し、孔１３にビス１４を通して、ビス１４の首下ねじ部を第２の凸部９の雌ねじ１０に螺合することで、ビス１４の頭部がＴ−ＮＣＵ１１を第２の凸部９に固着固定する。
【００２４】
Ｔ−ＮＣＵ１１をガスメータ１から取外すには、ビス１４を緩めることで容易にできる。
図３と図４は本発明の第２実施例で、請求項３、５の発明に対応する。
【００２５】
両図において、１は通信機能付ガスメータ（単にガスメータとも言う）で、上ケース３と、本体ケース４等からなる。５はガス使用量を表示する表示窓、６はガスの流入口、７は流出口、２１はケース本体４の右側面に固着した取付金具で、その上部がケース本体４の右側面から離れて上方に延び、下部がビス２２でケース本体４の右側面に固着されている。ビス２２を螺着するためにケース本体４に刻設された雌ねじは、本体ケース４の気密性を維持するために、その下穴は貫通していない。
【００２６】
２３は本体ケース４の右側面に突出した凸部で、下穴が貫通してない雌ねじ２４が刻設してある。
１１はＴ−ＮＣＵで、その左側面には前記取付金具２１の上部に係合するフック１５が一体的に形成されている。１３はビス１４を通すための孔である。
【００２７】
このＴ−ＮＣＵ１１をガスメータ１に取付けるには、図４に示すＴ−ＮＣＵ１１をガスメータ１の右側面に沿わせるように移動し、取付金具２１の上部にフック１５を引掛けて係合させ、ビス１４を孔１３に通して、凸部２３の雌ねじ２４に螺着固定する。こうして、ビス１４の頭部がＴ−ＮＣＵ１１を凸部２３に固着固定する。
【００２８】
Ｔ−ＮＣＵ１１をガスメータ１から取外すには、ビス１４を緩めることで容易にできる。
なお、上記第１と第２実施例の通信機能付ガスメータを現地に設置するときに、いわゆる集中監視システムの構築を将来計画としていて、ガスメータ設置時には一般加入電話回線と接続する必要が未だないような場合には、Ｔ−ＮＣＵ１１をガスメータ１に取付けないで、通信機能付ガスメータ１だけをガス供給配管に接続設置する。このときの通信機能付ガスメータ１が請求項１の発明に対応する。
【００２９】
【発明の効果】
本発明は上述のように構成されているので、Ｔ−ＮＣＵを通信機能付ガスメータの側面に予め取付けてからガスメータを設置したり、ガスメータ設置後にＴ−ＮＣＵをガスメータに取付けることもできる。
【００３０】
そのため、ガスメータを設置当初に集中監視システムを直ちに構築しない場合にもローコストで対応でき、必要時点でビルドアップが可能である。
また、ガスメータの側面にＴ−ＮＣＵを取付けるため、Ｔ−ＮＣＵの取付が簡単で、狭いスペースでもＴ−ＮＣＵの取付が可能である。また、ガスメータとＴ−ＮＣＵとの間を電気的に接続する配線の距離が最短で良く、電気ノイズによる誤動作の虞れが軽減する。
【００３１】
また、Ｔ−ＮＣＵを容易に取り外せるため、Ｔ−ＮＣＵが故障したときにはＴ−ＮＣＵだけを良品と交換できる。
また、Ｔ−ＮＣＵをガスメータの側面に直接取付ける構成にしたため、従来技術のようにＴ−ＮＣＵを取付けるための壁面や配管に左右されないでＴ−ＮＣＵの設置ができる。
【００３２】
更にまた、わずかのビスの取付、取外しでＴ−ＮＣＵの取付、取外し作業ができ、Ｔ−ＮＣＵ設置の作業工数の削減に寄与する。
【図面の簡単な説明】
【図１】本発明の第１実施例の正面図である。
【図２】本発明の第１実施例の分解斜視図である。
【図３】本発明の第２実施例の正面図である。
【図４】本発明の第２実施例の分解斜視図である。
【符号の説明】
１            通信機能付ガスメータ（ガスメータ）
２            フランジ
３            上ケース
４            本体ケース
８            第１の凸部
９            第２の凸部
１０          雌ねじ
１１          Ｔ−ＮＣＵ（末端網制御装置）
１２          取付孔
１３          孔
１４          ビス
１５          フック
２１          取付金具
２１ａ        係合部
２２          ビス
２３          凸部
２４          雌ねじ
【図１】
0003581440.tif 000002
【図２】
0003581440.tif 000003
【図３】
0003581440.tif 000004
【図４】
0003581440.tif 000005